(57)【要約】  本発明はビーム失敗回復方法、装置およびデバイスを開示する。本発明は、端末は、ビーム失敗回復（Ｂｅａｍ Ｆａｉｌｕｒｅ Ｒｅｃｏｖｅｒｙ，ＢＦＲ）が必要であると決定するステップと、端末は、選択された帯域幅パート上でランダムアクセスを開始して、ビーム失敗回復を実行するステップとを備え、ここで、ランダムアクセスプロセス中帯域幅パートは変更されない。本発明を採用することにより、各帯域幅パートを構成する端末は、無秩序なビーム障害回復プロセスを引き起こさない。端末は、適切な帯域幅パートと同期信号ブロックまたはチャネル状態情報参考信号を選択して、ビーム失敗回復プロセスを開始する。発明は、データ伝送への影響を最小限にしながら、高速ビーム回復を達成する。さらに、基地局はまた、端末がビーム失敗回復をどのように実行するかを決定してタイムリーに応答することができ、それによりランダムアクセスリソースを浪費することなくデータの効果的な送信を保証する。
2021510255.tif 000002
【特許請求の範囲】
【請求項１】
端末は、ビーム失敗回復（Ｂｅａｍ Ｆａｉｌｕｒｅ Ｒｅｃｏｖｅｒｙ，ＢＦＲ）が必要であると決定するステップと、
端末は、選択された帯域幅パート（ＢＷＰ）でランダムアクセスを開始することにより、ビーム失敗回復（ＢＦＲ）を実行するステップとを備え、
ここで、ランダムアクセスプロセス中ＢＷＰが変更されないことを特徴とするビーム失敗回復方法。
【請求項２】
端末が選択されたＢＷＰでランダムアクセスを開始することにより、ビーム失敗回復を実行することは、
端末は、ビーム障害の前にアクティブＢＷＰでランダムアクセスを開始し、ここで、前記アクティブＢＷＰにＢＦＲに用いられる非競合ランダムアクセスリソースがなければ、競合ランダムアクセスを開始してビーム失敗回復を実行し、または、
端末は、ビーム障害の前にアクティブＢＷＰでランダムアクセスを開始し、ここで、前記アクティブＢＷＰにＢＦＲに用いられる非競合ランダムアクセスリソースがあれば、端末は、前記アクティブＢＷＰで非競合ランダムアクセスを開始して、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
端末は、チャネル品質に従って構成された複数のＢＷＰ上のビームを選択し、前記ビームが配置されているＢＷＰ上でランダムアクセスを開始し、ビーム失敗回復を実行することを備えることを特徴とする請求項１に記載のビーム失敗回復方法。
【請求項３】
非競合ランダムアクセスリソースで構成されたデフォルトＢＷＰは、初期ＢＷＰ、またはデフォルトＢＷＰ、またはＢＦＲを実行するように特に構成されたＢＷＰを含むことを特徴とする請求項２に記載のビーム失敗回復方法。
【請求項４】
端末がチャネル品質に従って構成された複数のＢＷＰ上のビームを選択することは、
異なるＢＷＰ上で同期信号ブロック（ＳＳＢ）測定および／またはチャネル状態情報参考信号（ＣＳＩ−ＲＳ）測定を実行し、ここで、異なるＳＳＢまたはＣＳＩ−ＲＳは異なるビームに対応することと、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始することとを備えることを特徴とする請求項２に記載のビーム失敗回復方法。
【請求項５】
非競合ランダムアクセスの下で端末は、設定された時間内にセル無線ネットワーク一時識別子（Ｃ−ＲＮＴＩ）が含まれる物理ダウンリンク制御チャネル（ＰＤＣＣＨ）スケジューリングコマンドを受信していないか、または、競合ランダムアクセスの下で、競合解決の完了に失敗するとき、ランダムアクセスを再開始し、ＢＦＲを実行することを特徴とする請求項１から請求項４のいずれか一項に記載のビーム失敗回復方法。
【請求項６】
ランダムアクセスを再開始することによってＢＦＲを実行することは、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＳに対応するビーム下のランダムアクセス構成に従って、現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、端末は、前記ＳＳＢおよび／またはＣＳＩ−ＲＳが配置されている変更されたＢＷＰ上でランダムアクセスを再開始することを特徴とする請求項５に記載のビーム失敗回復方法。
【請求項７】
メモリ内のプログラムを読み取って次のプロセスを実行するように構成されたプロセッサと、
プロセッサの制御下でデータを送受信して以下のプロセスを実行するように構成された送受信機とを備え、
前記プロセッサは、ビーム障害回復を実行する必要があるかどうかを決定し、
前記送受信機は、ビーム障害回復を実行する必要があると決定した場合、選択された帯域幅パート（ＢＷＰ）上でランダムアクセスを開始し、ビーム失敗回復（ＢＦＲ）を実行し、ここで、ランダムアクセスプロセス中ＢＷＰが変更されないことを特徴とする端末。
【請求項８】
選択されたＢＷＰ上でランダムアクセスを開始し、ビーム失敗回復を実行することは、
ビーム障害の前にアクティブＢＷＰ上でランダムアクセスを開始し、ここで、前記アクティブＢＷＰにＢＦＲに用いられる非競合ランダムアクセスリソースがなければ、競合ランダムアクセスを開始してビーム失敗回復を実行し、または、
ビーム障害の前にアクティブＢＷＰ上でランダムアクセスを開始し、ここで、前記アクティブＢＷＰにＢＦＲに用いられる非競合ランダムアクセスリソースがあれば、前記アクティブＢＷＰ上で非競合ランダムアクセスを開始し、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
チャネル品質に従って構成された複数のＢＷＰ上のビームを選択し、前記ビームが配置されているＢＷＰ上でランダムアクセスを開始し、ビーム失敗回復を実行することを備えることを特徴とする請求項７に記載の端末。
【請求項９】
非競合ランダムアクセスリソースで構成されたデフォルトＢＷＰは、初期ＢＷＰ、またはデフォルトＢＷＰ、またはＢＦＲを実行するように特に構成されたＢＷＰを含むことを特徴とする請求項８に記載の端末。
【請求項１０】
チャネル品質に従って構成された複数のＢＷＰ上のビームを選択することは、
異なるＢＷＰ上でＳＳＢ測定および／またはＣＳＩ−ＲＳ測定を実行し、ここで、異なるＳＳＢまたはＣＳＩ−ＲＳは異なるビームに対応することと、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始することとを備えることを特徴とする請求項８に記載の端末。
【請求項１１】
非競合ランダムアクセスの下で設定された時間内にＣ−ＲＮＴＩが含まれるＰＤＣＣＨスケジューリングコマンドを受信しない場合に、または、競合ランダムアクセスの下で、競合解決の完了に失敗するとき、ランダムアクセスを再開始し、ＢＦＲを実行することを特徴とする請求項７から請求項１０のいずれか一項に記載の端末。
【請求項１２】
ランダムアクセスを再開始することによってＢＦＲを実行することは具体的に、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＶビームＣランダムアクセス構成に従って現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、前記ＳＳＢおよび／またはＣＳＩ−ＲＳが配置されているＢＷＰ上でランダムアクセスを再開始することを特徴とする請求項１１に記載の端末。
【請求項１３】
請求項１から請求項６のいずれか一項に記載の方法を実行するように構成されたコンピュータプログラムを格納する、コンピュータ可読記憶媒体。
【請求項１４】
端末によってビーム失敗回復を実行する必要があると決定するように構成された決定モジュールと、
端末によって選択された帯域幅パート（ＢＷＰ）上でランダムアクセスを開始し、ビーム失敗回復（ＢＦＲ）を実行するように構成された回復モジュールとを備え、
ここで、ランダムアクセスプロセス中ＢＷＰが変更されないことを特徴とするビーム失敗回復装置。
【発明の詳細な説明】
【技術分野】
【０００１】
本発明は、２０１８年１月８日に中国特許局に提出し、出願番号が２０１８１００１５２４２．６であり、発明名称が「ビーム失敗回復方法、装置およびデバイス」との中国特許出願を基礎とする優先権を主張し、その開示の総てをここに取り込む。
【０００２】
本発明は、通信技術分野に関し、特にビーム失敗回復方法、装置およびデバイスに関する。
【背景技術】
【０００３】
従来のＬＴＥ（Ｌｏｎｇ Ｔｅｒｍ Ｅｖｏｌｕｔｉｏｎ，ロングタームエボリューション）システムでは、ネットワーク側から見たセル帯域幅は２０ＭＨｚの端末受信帯域幅以下であるので、ネットワーク側は端末に対して常にセルの合計アップリンクおよびダウンリンク帯域幅を構成する。端末は全セル帯域幅で動作する可能性がある。ＮＲ（Ｎｅｗ Ｒａｄｉｏ）システムでは、ネットワーク側の帯域幅が４００ＭＨｚに達する場合があり、これは端末の受信能力よりもはるかに大きくなる。したがって、ＢＷＰ（Ｂａｎｄ Ｗｉｄｔｈ Ｐａｒｔ）の概念が導入されました。つまり、ネットワーク側の大きな帯域幅が複数のＢＷＰに分割され、１つ以上のＢＷＰが端末に構成され、構成されたＢＷＰの一部がアクティブされ、端末のアップリンクおよびダウンリンク伝送に用いる。アクティブなダウンリンクＢＷＰはアクティブなＤＬ ＢＷＰと呼ばれ、アクティブなアップリンクＢＷＰはアクティブＵＬ ＢＷＰと呼ばれる。Ｒ１５バージョンでは、端末の場合、一度にアクティブにできるのは１つのＤＬ ＢＷＰと１つのＵＬ ＢＷＰのみであり、非アクティブＢＷＰはアップリンクとダウンリンクのシグナリングとデータ送信を実行できない。
【０００４】
基地局が端末のために複数のＢＷＰを構成した後、各ＢＷＰは、様々な機能およびリソースで独立して構成される。たとえば、基地局は、独立したランダムアクセスリソース、スケジューリング要求リソース、物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）、セミパーシステントスケジュール（ｓｅｍｉ−ｐｅｒｓｉｓｔｅｎｔ ｓｃｈｅｄｕｌｅ，ＳＲＳ）などを異なるＢＷＰに対して構成できる。
【０００５】
ＮＲシステムでは、高周波数帯域の導入により、端末と基地局は決定されたビームで送信し、基地局と端末の受信ビームと送信ビームの間には対応関係がある。現在のワーキングビームチャネルの品質が悪いことを測定する場合、端末はビーム障害回復プロセスを開始する必要がある。この場合、ビーム障害回復プロセスはランダムアクセスを通じて実施される。具体的には、端末は特定のビームを選択し、ランダムアクセスを開始し、ランダムアクセスが成功した後、選択したビームでビーム障害の回復が完了したと判断する。
【発明の概要】
【発明が解決しようとする課題】
【０００６】
従来技術の欠点には、ネットワーク側がビーム障害回復のために非競合ランダムアクセスリソースを端末に割り当てるとき、ビーム障害回復プロセスは無秩序になるため、基地局は端末がどのようにビーム障害の回復を実行するかを決定できないためタイムリーに応答できない。
【０００７】
本発明は、複数のＢＷＰの構成下でビーム障害回復を実現するために端末が適切なリソースをどのように選択するかという問題を解決するために、ビーム失敗回復方法、装置およびデバイスを提供する。
【課題を解決するための手段】
【０００８】
本本発明の実施形態によって提供されるビーム失敗回復方法は、
端末は、ビーム失敗回復（Ｂｅａｍ Ｆａｉｌｕｒｅ Ｒｅｃｏｖｅｒｙ，ＢＦＲ）が必要であると決定し、
端末は、選択された帯域幅パート（ＢＷＰ）でランダムアクセスを開始することにより、ビーム失敗回復（ＢＦＲ）を実行し、ここで、ランダムアクセスプロセス中ＢＷＰが変更されない。
【０００９】
好ましくは、端末が選択されたＢＷＰでランダムアクセスを開始することにより、ビーム失敗回復を実行することは具体的に、
端末は、ビーム障害の前にアクティブＢＷＰでランダムアクセスを開始し、ここで、前記アクティブＢＷＰにＢＦＲに用いられる非競合ランダムアクセスリソースがなければ、競合ランダムアクセスを開始してビーム失敗回復を実行し、または、
端末は、ビーム障害の前にアクティブＢＷＰでランダムアクセスを開始し、ここで、前記アクティブＢＷＰにＢＦＲに用いられる非競合ランダムアクセスリソースがあれば、端末は、前記アクティブＢＷＰで非競合ランダムアクセスを開始して、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
端末は、チャネル品質に従って構成された複数のＢＷＰ上のビームを選択し、前記ビームが配置されているＢＷＰ上でランダムアクセスを開始し、ビーム失敗回復を実行する。
【００１０】
好ましくは、非競合ランダムアクセスリソースで構成されたデフォルトＢＷＰは、初期ＢＷＰ、またはデフォルトＢＷＰ、またはＢＦＲを実行するように特に構成されたＢＷＰを含む。
【００１１】
好ましくは、端末がチャネル品質に従って構成された複数のＢＷＰ上のビームを選択することは具体的に、
異なるＢＷＰ上でＳＳＢ測定および／またはＣＳＩ−ＲＳ測定を実行し、ここで、異なるＳＳＢまたはＣＳＩ−ＲＳは異なるビームに対応し、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始する。
【００１２】
好ましくは、非競合ランダムアクセスの下で端末設定された時間内にＣ−ＲＮＴＩが含まれるＰＤＣＣＨスケジューリングコマンドを受信しない場合に、または、競合ランダムアクセスの下で、競合解決の完了に失敗するとき、ランダムアクセスを再開始し、ＢＦＲを実行する。
【００１３】
好ましくは、ランダムアクセスを再開始することによってＢＦＲを実行することは具体的に、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＳに対応するビーム下のランダムアクセス構成に従って、現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、端末は、前記ＳＳＢおよび／またはＣＳＩ−ＲＳが配置されている変更されたＢＷＰ上でランダムアクセスを再開始する。
【００１４】
本発明の実施形態によって提供される端末は、
メモリ内のプログラムを読み取って次のプロセスを実行するように構成されたプロセッサと、
プロセッサの制御下でデータを送受信して以下のプロセスを実行するように構成された送受信機とを前記備え、
プロセッサはビーム障害回復を実行する必要があるかどうかを決定し、
前記送受信機は、ビーム障害回復を実行する必要があると決定した場合、選択された帯域幅パート（ＢＷＰ）上でランダムアクセスを開始し、ビーム失敗回復（ＢＦＲ）を実行し、ここで、ランダムアクセスプロセス中ＢＷＰが変更されない。
【００１５】
好ましくは、選択されたＢＷＰ上でランダムアクセスを開始し、ビーム失敗回復を実行することは具体的に、
ビーム障害の前にアクティブＢＷＰ上でランダムアクセスを開始し、ここで、前記アクティブＢＷＰにＢＦＲに用いられる非競合ランダムアクセスリソースがなければ、競合ランダムアクセスを開始してビーム失敗回復を実行し、または、
ビーム障害の前にアクティブＢＷＰ上でランダムアクセスを開始し、ここで、前記アクティブＢＷＰにＢＦＲに用いられる非競合ランダムアクセスリソースがあれば、前記アクティブＢＷＰ上で非競合ランダムアクセスを開始し、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
チャネル品質に従って構成された複数のＢＷＰ上のビームを選択し、前記ビームが配置されているＢＷＰ上でランダムアクセスを開始し、ビーム失敗回復を実行する。
【００１６】
好ましくは、非競合ランダムアクセスリソースで構成されたデフォルトＢＷＰは、初期ＢＷＰ、またはデフォルトＢＷＰ、またはＢＦＲを実行するように特に構成されたＢＷＰを含む。
【００１７】
好ましくは、チャネル品質に従って構成された複数のＢＷＰ上のビームを選択することは具体的に、
異なるＢＷＰ上でＳＳＢ測定および／またはＣＳＩ−ＲＳ測定を実行し、ここで、異なるＳＳＢまたはＣＳＩ−ＲＳは異なるビームに対応し、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始する。
【００１８】
好ましくは、非競合ランダムアクセスの下で設定された時間内にＣ−ＲＮＴＩが含まれるＰＤＣＣＨスケジューリングコマンドを受信しない場合に、または、競合ランダムアクセスの下で、競合解決の完了に失敗するとき、ランダムアクセスを再開始し、ＢＦＲを実行する。
【００１９】
好ましくは、ランダムアクセスを再開始することによってＢＦＲを実行することは具体的に、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＳに対応するビーム下のランダムアクセス構成に従って、現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、前記ＳＳＢおよび／またはＣＳＩ−ＲＳが配置されているＢＷＰ上でランダムアクセスを再開始する。
【００２０】
本発明の実施形態によって提供されるコンピュータ可読記憶媒体は、上記方法を実行するコンピュータプログラムを格納する。
【００２１】
本発明の実施形態によって提供されるビーム失敗回復装置は、
端末によってビーム失敗回復を実行する必要があると決定するように構成された決定モジュールと、
端末によって選択された帯域幅パート（ＢＷＰ）上でランダムアクセスを開始し、ビーム失敗回復（ＢＦＲ）を実行し、ここで、ランダムアクセスプロセス中ＢＷＰが変更されないように構成された回復モジュールとを備える。
【発明の効果】
【００２２】
本発明以下のような効果を発揮する。
【００２３】
本発明の実施形態によって提供される技術的解決策では、端末は、選択されたＢＷＰ上でランダムアクセスを開始し、ビーム失敗回復を実行し、ランダムアクセスプロセス中ＢＷＰが変更されない。ＢＷＰはこのプロセス中に変更されないため、端末が各ＢＷＰを構成するとき、ビーム失敗回復プロセスの無秩序を引き起こさない。端末は、適切なＢＷＰとその上のＳＳＢまたはＣＳＩ−ＲＳを選択して、ビーム失敗回復プロセスを開始する。発明は、データ伝送への影響を最小限にしながら、高速ビーム回復を達成する。
【００２４】
さらに、基地局はまた、端末がビーム失敗回復をどのように実行するかを決定してタイムリーに応答することができ、それによりランダムアクセスリソースを浪費することなくデータの効果的な送信を保証する。
【図面の簡単な説明】
【００２５】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００２６】
【図１】本発明の実施形態における競合ランダムアクセスプロセスの概略図である。
【図２】本発明の実施形態における非競合ランダムアクセスプロセスの概略図である。
【図３】本発明の実施形態におけるビーム失敗回復方法の実施プロセスの概略図である。
【図４】本発明の実施形態における端末の構造概略図である。
【発明を実施するための形態】
【００２７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００２８】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ−Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）新しい無線（Ｎｅｗ ｒａｄｉｏ，ＮＲ）等に応用できる。
【００２９】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００３０】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【００３１】
発明者は、本発明を考案する間以下のことに気づいた：新世代の無線通信システム（５ＧまたはＮＲシステム）において、ＢＷＰの概念が導入される。セルのキャリア帯域幅は、複数のＢＷＰに分割できる。基地局は、端末に複数のＢＷＰを設定できる。各ＢＷＰは、さまざまな機能とリソースで個別に構成される。例えば、基地局は、異なるＢＷＰに対して、独立したランダムアクセスリソース、スケジューリング要求リソース、ＰＵＣＣＨ、ＳＲＳなどを構成することができる。複数のＢＷＰの構成下でビーム障害回復を実現するための適切なリソースをどのように選択するかとの問題が発生する。
【００３２】
まず、ＢＷＰについて簡単に説明する。
【００３３】
ＢＷＰについて、３ＧＰＰはまた、いくつかの基本的な概念を定義する。
【００３４】
初期ＢＷＰ（ｉｎｉｔｉａｌ ＢＷＰ）：最初にアクセスする端末は、接続確立プロセスを完了するために初期ＢＷＰ（ｉｎｉｔｉａｌ ＢＷＰ）のみを使用することができる。初期ＢＷＰには、基本的なセルブロードキャストシグナリングやランダムアクセスリソースなどが含まれる。
【００３５】
デフォルトＢＷＰ（ｄｅｆａｕｌｔ ＢＷＰ）：ネットワーク側の次世代ＮｏｄｅＢ（ｎｅｘｔ ｇｅｎｅｒａｔｉｏｎ ＮｏｄｅＢ，ｇＮＢ）は、接続状態にある端末のデフォルトＢＷＰを構成でき、端末は、デフォルトＢＷＰ条で、セル接続の維持、セル測定の実行、ランダムアクセスの開始などのようないくつかの基本的な作業を実行できる。
【００３６】
構成されたＢＷＰ（ｃｏｎｆｉｇｕｒｅｄ ＢＷＰ）：接続状態の単一の端末のためにネットワーク側によって構成されたＢＷＰ。各ＢＷＰは、ＰＵＣＣＨ構成、ＳＰＳ構成、物理ランダムアクセスチャネル（Ｐｈｙｓｉｃａｌ Ｒａｎｄｏｍ Ａｃｃｅｓｓ Ｃｈａｎｎｅｌ，ＰＲＡＣＨ）構成、ビーム障害回復（Ｂｅａｍ Ｆａｉｌｕｒｅ Ｒｅｃｏｖｅｒｙ，ＢＦＲ）で使用される非競合アクセスリソースなどのさまざまなレイヤーパラメーターで個別に構成される。
【００３７】
アクティブＢＷＰ（ａｃｔｉｖｅ ＢＷＰ）：ネットワーク側により端末のために構成されたＢＷＰにおいて、端末は、アップリンクおよびダウンリンク送信のためにアクティブＢＷＰのみを使用することができる。アクティブＢＷＰには、アクティブなＤＬ ＢＷＰとアクティブなＵＬ ＢＷＰが含まれる。基地局は、物理層シグナリングダウンリンクコントロールインジケータ（Ｄｏｗｎｌｉｎｋ Ｃｏｎｔｒｏｌ Ｉｎｄｉｃａｔｏｒ，ＤＣＩ）を使用して、ＢＷＰを明示的に変更およびアクティブ化する。さらに、ＢＷＰ−Ｉｎａｃｔｉｖｉｔｙ Ｔｉｍｅｒ（以下、ＢＷＰタイマーと呼ぶ）がさらに導入されました。ＢＷＰタイマーの時間が満了すると、端末はアクティブＢＷＰからデフォルトのＢＷＰに変わる。
【００３８】
次に、以下のように、ランダムアクセスが簡単に紹介される。
【００３９】
次にランダムアクセスを簡略に説明する。
【００４０】
ランダムアクセスは、競合ランダムアクセスと非競合ランダムアクセスの２つのタイプに分けられる。そのプロセスは次のとおりである。
【００４１】
図１は、競合ランダムアクセスプロセスを示す図であり、競合ランダムアクセスプロセスは、主に４つのステップに分けられる：
Ｍｓｇ１：端末（Ｕｓｅｒ Ｅｑｕｉｐｍｅｎｔ，ＵＥ）は、ランダムアクセスプリアンブル（ｐｒｅａｍｂｌｅ）およびランダムアクセスリソースＰＲＡＣＨを選択し、選択されたランダムアクセスプリアンブルを、選択されたＰＲＡＣＨリソース上で基地局に送信する。ＮＲでは、特定のプリアンブルおよび／またはＰＲＡＣＨリソースは、Ｍｓｇ１ベースのシステムメッセージ要求「Ｍｓｇ１ ｂａｓｅｄ ＳＩ ｒｅｑｕｅｓｔ」のために予約される。
【００４２】
Ｍｓｇ２：基地局は、ランダムアクセス要求Ｍｓｇ１を受信し、ランダムアクセス応答を端末に送信し、ランダムアクセス応答は、アップリンクタイミングアドバンス、Ｍｓｇ３に割り当てられたアップリンクリソースのアップリンクスケジューリング情報（ＵＬ ｇｒａｎｔ，ＵＬグラント）、およびネットワーク側によって割り当てられた一時セル無線ネットワーク一時識別子（Ｃｅｌｌ−Ｒａｄｉｏ Ｎｅｔｗｏｒｋ Ｔｅｍｐｏｒａｒｙ Ｉｄｅｎｔｉｆｉｅｒ，Ｃ−ＲＮＴＩ）を含む。Ｍｓｇ２スケジューリングメッセージを持つ物理ダウンリンク制御チャネル（ｐｈｙｓｉｃａｌ ｄｏｗｎｌｉｎｋ ｃｏｎｔｒｏｌ ｃｈａｎｎｅｌ，ＰＤＣＣＨ）は、ランダムアクセス無線ネットワーク一時識別子（Ｒａｎｄｏｍ Ａｃｃｅｓｓ−Ｒａｄｉｏ Ｎｅｔｗｏｒｋ Ｔｅｍｐｏｒａｒｙ，ＲＡ−ＲＮＴＩ）でスクランブルされ、Ｍｓｇ２はさらにプリアンブルＩＤを運び、端末はＲＡ−ＲＮＴＩとプリアンブルＩＤを使用して、Ｍｓｇ２が送信されたＭｓｇ１に対応すると判断する。ＮＲでは、Ｍｓｇ１ベースのシステムメッセージ要求の場合、Ｍｓｇ２にはＭｓｇ１に対応するプリアンブルＩＤ情報のみが含まれ、他のコンテンツはない。Ｍｓｇ１ベースのシステムメッセージ要求の場合、ランダムアクセスプロセスはＭｓｇ２まで終了する。つまり、受信したＭｓｇ２にＭｓｇ１によって送信されたプリアンブルに対応するプリアンブルＩＤが含まれている場合、Ｍｓｇ１ベースのシステムメッセージ要求プロセスが完了するとみなす。
【００４３】
Ｍｓｇ３：端末は、Ｍｓｇ２によって特定されたＵＬ ｇｒａｎｔでアップリンク送信を送信する。ランダムアクセスが異なる理由は、Ｍｓｇ３アップリンク送信のコンテンツが異なるためである。たとえば、初期アクセスの場合、Ｍｓｇ３はＲＲＣ（Ｒａｄｉｏ Ｒｅｓｏｕｒｃｅ Ｃｏｎｔｒｏｌ）接続確立要求を送信する。
【００４４】
Ｍｓｇ４：競合解決メッセージ。ここで、端末は、Ｍｓｇ４に従ってランダムアクセスが成功するかどうかを決定することができる。最初にアクセスする端末の場合、一時的なＣ−ＲＮＴＩは、競合解決が成功した後、セル内の端末の一意の端末識別子（Ｃ−ＲＮＴＩ）に自動的に変換される。
【００４５】
図２は、図示のように、主に３つのステップに分けられる、非競合ランダムアクセスプロセスの概略図である。
【００４６】
Ｍｓｇ０：基地局は、端末へのランダムアクセスによって使用されるＰＲＦＣＨリソースと、非競合ランダムアクセスのための専用プリアンブルを割り当てる。
【００４７】
Ｍｓｇ１：端末は、Ｍｓｇ０の指示に従って、特定された専用プリアンブルを特定されたＰＲＡＣＨリソース上で基地局に送信する。Ｍｓｇ１を受信した後、基地局はＭｓｇ１に従ってアップリンクタイミングアドバンス（Ｔｉｍｉｎｇ Ａｄｖａｎｃｅ，ＴＡ）を計算する。
【００４８】
Ｍｓｇ２：基地局は、ランダムアクセス応答を端末に送信する。ほとんどのランダムアクセスシナリオでは、ランダムアクセス応答のフォーマットは、競合ベースのランダムアクセスのフォーマットと同様であり、ＲＡ−ＲＮＴＩを含むＰＤＣＣＨを使用して、ＭＡＣ ＲＡＲ ＰＤＵ（Ｍｅｄｉａ Ａｃｃｅｓｓ Ｃｏｎｔｒｏｌ Ｒａｎｄｏｍ Ａｃｃｅｓｓ Ｒｅｓｐｏｎｓｅ Ｐｒｏｔｏｃｏｌ Ｄａｔａ Ｕｎｉｔ）をスケジューリングする。ＭＡＣ ＲＡＲ ＰＤＵは、ＲＡＰＩＤ（Ｒａｎｄｏｍ Ａｃｃｅｓｓ Ｐｒｅａｍｂｌｅ ＩＤ，ＲＡＰＩＤ）、ＴＡＣ（Ｔｉｍｅ Ａｌｉｇｎｍｅｎｔ Ｃｏｍｍａｎｄ）、および後続のアップリンク送信リソース割り当てＵＬ ｇｒａｎｔを含む。端末は、Ｍｓｇ１によって送信されたプリアンブルコードと同じであるランダムアクセス応答ＭＡＣ ＲＡＲのＲＡＰＩＤを通じて競合解決を完了する。
【００４９】
ＮＲはさらに、新しい非競合ランダムアクセスシナリオ、すなわちビーム障害回復（ＢＦＲ）を導入する。このシナリオでは、Ｍｓｇ２はＣ−ＲＮＴＩを含むＰＤＣＣＨである。主に、Ｃ−ＲＮＴＩは端末のＣ−ＲＮＴＩと一致しており、ランダムアクセスが成功したと端末が判断し、ビーム障害の回復が成功する。
【００５０】
ＮＲシステムでは、高周波数帯域の導入により、端末と基地局は決定されたビームで送信し、基地局と端末の受信ビームと送信ビームの間には対応関係がある。端末が現在のワーキングビームチャネルの品質が悪いと測定すると、ビーム失敗回復プロセスを開始する必要がある。当該プロセスは、ランダムアクセスによって実施され、具体的には、端末は特定のビームを選択し、ランダムアクセスを開始し、ランダムアクセスが成功した後、選択したビームでビーム障害の回復が完了したと見なす。ネットワーク側は、複数のビームで端末に非競合アクセスリソース（ＰＲＡＣＨリソースおよび/またはプリアンブルコード）を割り当てる。端末によって選択されたビームに非競合ランダムアクセスリソースがある場合、非競合ランダムアクセスが開始される。Ｍｓｇ１を受信した後、端末は設定された時間内に端末のＣ−ＲＮＴＩでスクランブルされたＰＤＣＣＨコマンドを受信し、非競合ランダムアクセスが成功したと見なす。端末によって選択されたビームに非競合ランダムアクセスリソースが割り当てられていない場合、端末は競合ベースのランダムアクセスを使用してビーム障害回復を実行する。ビーム障害回復のための非競合ランダムアクセスリソースは、異なるＢＷＰに個別に割り当てられる。ビーム回復とは、チャネル品質が要件を満たすビームを端末が再検出することを意味する。具体的には、端末は新しい同期信号ブロック（Ｓｙｎｃｈｒｏｎｉｚａｔｉｏｎ Ｓｉｇｎａｌ Ｂｌｏｃｋ，ＳＳＢ）またはチャネル状態情報参考信号（ｃｈａｎｎｅｌ ｓｔａｔｅ ｉｎｆｏｒｍａｔｉｏｎ ｒｅｆｅｒｅｎｃｅ ｓｉｇｎａｌ，ＣＳＩ−ＲＳ）を選択する。ここで、異なるＳＳＢまたはＣＳＩ−ＲＳは異なるビームに対応する。本願の説明において、ビームを選択することは、ＳＳＢまたはＣＳＩ−ＲＳを選択することと同等である。
【００５１】
従来技術の欠点には、ネットワーク側がビーム障害回復のために非競合ランダムアクセスリソースを端末に割り当てるが、非競合ランダムアクセスリソースが端末のアクティブＢＷＰに割り当てられていない場合、現在のメカニズムでは、この状態での端末の動作は特定されていない。これは、端末が各ＢＷＰを構成するときにビーム障害回復プロセスの混乱を引き起こし、基地局は端末がビーム障害回復を実行する方法を決定せず、時間内に応答できず、ランダムアクセスリソースを浪費しながら効果的なデータ送信を保証できる。
【００５２】
これに基づいて、本発明の実施形態は、複数のＢＷＰの構成下でビーム障害回復を実現するために端末が適切なリソースをどのように選択するかという問題を解決するために、ビーム障害回復のための解決策を提供する。
【００５３】
本発明の特定の実施形態を、図面と組み合わせて以下に説明する。
【００５４】
記述プロセスでは、端末側の動作のみが記述され、基地局側は、端末側のプロセスに対応するランダムアクセスプロセスを実行するだけでよい。
【００５５】
図３は、ビーム失敗回復方法の実施プロセスの概略図であり、示されるように、番方法は、以下のステップを含む。
【００５６】
ステップ３０１：端末は、ビーム失敗回復（Ｂｅａｍ Ｆａｉｌｕｒｅ Ｒｅｃｏｖｅｒｙ，ＢＦＲ）が必要であると決定する。
【００５７】
ステップ３０２：端末は、選択されたＢＷＰ上でランダムアクセスを開始し、ビーム失敗回復を実行し、ここで、ランダムアクセスプロセス中ＢＷＰが変更されない。
【００５８】
具体的には、端末は、選択されたＢＷＰ上でランダムアクセスを開始し、ビーム失敗回復を実行し、ランダムアクセスプロセス中ＢＷＰが変更されない。
【００５９】
実施において、端末は、選択されたＢＷＰ上でランダムアクセスを開始して、以下の３つのモードを含むビーム障害回復を実行する。
【００６０】
１.端末は、ビーム障害の前にアクティブＢＷＰでランダムアクセスを開始し、ここで、前記アクティブＢＷＰにＢＦＲに用いられる非競合ランダムアクセスリソースがなければ、競合ランダムアクセスを開始してビーム失敗回復を実行する。
【００６１】
具体的には、端末は、ビーム障害の前にアクティブＢＷＰでランダムアクセスを開始し、前記アクティブＢＷＰにＢＦＲに用いられる非競合ランダムアクセスリソースがなければ、競合ランダムアクセスを開始してビーム失敗回復を実行する。
【００６２】
２.端末は、ビーム障害の前にアクティブＢＷＰでランダムアクセスを開始し、ここで、前記アクティブＢＷＰにＢＦＲに用いられる非競合ランダムアクセスリソースがあれば、端末は、前記アクティブＢＷＰで非競合ランダムアクセスを開始して、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行する。
【００６３】
実施において、非競合ランダムアクセスリソースで構成されたデフォルトＢＷＰは、初期ＢＷＰ、またはデフォルトＢＷＰ、またはＢＦＲを実行するように特に構成されたＢＷＰであり得る。
【００６４】
具体的には、端末は、ビーム失敗の前にアクティブＢＷＰ上にＢＦＲのための非競合ランダムアクセスリソースがあるかどうかを判断する。ビーム失敗の前にアクティブＢＷＰ上にＢＦＲの非競合ランダムアクセスリソースがある場合、端末は、前記アクティブＢＷＰで非競合ランダムアクセスを開始して、ビーム失敗回復を実行する。ビーム失敗の前にアクティブＢＷＰ上にＢＦＲのための非競合ランダムアクセスリソースがない場合、非競合ランダムアクセスリソースで構成されたデフォルトＢＷＰに変更し、ランダムアクセスを開始し、ビーム失敗回復を実行する。当該非競合ランダムアクセスリソースで構成されたデフォルトＢＷＰは、初期ＢＷＰ、またはデフォルトＢＷＰ、またはＢＦＲを実行するように特に構成されたＢＷＰである。
【００６５】
３、端末は、チャネル品質に従って構成された複数のＢＷＰ上のビームを選択し、前記ビームが配置されているＢＷＰ上でランダムアクセスを開始し、ビーム失敗回復を実行する。
【００６６】
実施において、端末は、チャネル品質に従って構成された複数のＢＷＰ上のビームを選択することは、具体的に、
異なるＢＷＰ上でＳＳＢ測定および／またはＣＳＩ−ＲＳ測定を実行し、ここで、異なるＳＳＢまたはＣＳＩ−ＲＳは異なるビームに対応し、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始する。
【００６７】
具体的には、端末は、構成された複数のＢＷＰ上で十分に良好なチャネル品質を有するビームを選択し、ビームに対応するＢＷＰ上でランダムアクセスを開始して、ビーム失敗回復を実行する。端末が十分なチャネル品質を持つビームを選択する方法は、ＳＳＢ測定および/またはＣＳＩ−ＲＳ測定が異なるＢＷＰで実行される場合がある。ＮＲシステムでは、異なるＳＳＢまたはＣＳＩ−ＲＳが異なるビームに対応する。非競合ランダムアクセスリソースで構成されたビームは、チャネル品質要件（たとえば、設定されたチャネル品質しきい値より大きい）を満たすビームから選択され、このビームが配置されているＢＷＰでランダムアクセスが開始される。非競合ランダムアクセスリソースで構成されたビームがチャネル品質要件を満たさない場合、チャネル品質要件を満たす別のビームが選択され、このビームが配置されているＢＷＰでランダムアクセスが開始される。
【００６８】
１回のランダムアクセス失敗は、端末が非競合ランダムアクセス下で設定された時間内にＣ−ＲＮＴＩが含まれるＰＤＣＣＨスケジューリングコマンドを受信しないか、または競合ベースランダムアクセス下で競合解決を完了できないことを意味する。１回のランダムアクセスが失敗した後の端末の場合、端末が非競合ランダムアクセス下で「設定された時間内」にＣ−ＲＮＴＩが含まれるＰＤＣＣＨスケジューリングコマンドを受信する文中の「設定された時間」は、基地局のランダムアクセス応答を受信する規定時間を指し、通常はランダムアクセス応答の受信ウィンドウの長さである。
【００６９】
一実施形態では、当該方法では、非競合ランダムアクセスの下で端末設定された時間内にＣ−ＲＮＴＩが含まれるＰＤＣＣＨスケジューリングコマンドを受信しない場合に、または、競合ランダムアクセスの下で、競合解決の完了に失敗するとき、ランダムアクセスを再開始し、ＢＦＲを実行する。
【００７０】
一実装では、１つのランダムアクセスが失敗した後、端末は、以下の方法でＢＦＲのためのランダムアクセスを再開し得る。
【００７１】
１.ランダムアクセスの最大数またはＢＦＲタイマーの時間満了になるまで、ＢＷＰとビーム、および最後に開始されたランダムアクセスのランダムアクセスリソースを使用して、ランダムアクセスを再開始する。
【００７２】
具体的には、１回のランダムアクセスが失敗した後、端末は、最後に開始されたランダムアクセスのＢＷＰおよびビーム（ＳＳＢまたはＣＳＩ−ＲＳとして表される）ならびにランダムアクセスリソースを使用して、ランダムアクセスの最大数またはＢＦＲタイマーの時間満了になるまで、ランダムアクセスを再開始する。
【００７３】
２.現在のＢＷＰ上でビーム品質測定を実行し、ＳＳＢまたはＣＳＩ−ＲＳを再選択し、ＳＳＢまたはＣＳＩ−ＲＳに対応するビーム下のランダムアクセス構成に従って現在ＢＷＰ上でランダムアクセスを再開始する。
【００７４】
具体的には、１回のランダムアクセスが失敗した後、端末は、現在のＢＷＰ上でビーム品質測定を実行し、ＳＳＢまたはＣＳＩ−ＲＳを再選択し、ＳＳＢまたはＣＳＩ−ＲＳに対応するビーム下のランダムアクセス構成に従って現在ＢＷＰ上でランダムアクセスを再開始する。
【００７５】
３.特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰである。
【００７６】
具体的には、１回のランダムアクセスが失敗した後、端末は、特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開する。前記特定されたＢＷＰは、初期ＢＷＰまたはデフォルトＢＷＰである。
【００７７】
４.構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、端末は、前記ＳＳＢおよび／またはＣＳＩ−ＲＳが配置されている変更されたＢＷＰ上でランダムアクセスを再開始する。
【００７８】
具体的には、１回のランダムアクセスが失敗した後、端末は、構成された複数のＢＷＰのＳＳＢまたはＣＳＩ−ＲＳ測定の結果に従って、ＳＳＢおよび／またはＣＳＩ−ＲＳとその対応するビームを再選択し、ＳＳＢまたはＣＳＩ−ＲＳに対応するビーム下のランダムアクセス構成に従ってランダムアクセスを再開始し、現在ＢＷＰに前記ＳＳＢおよび／またはＣＳＩ−ＲＳがなければ、端末は、前記ＳＳＢおよび／またはＣＳＩ−ＲＳが配置されているＢＷＰに変更する必要がある。
【００７９】
以下、具体的な例をあげて説明する。以下の実施形態は、端末側の動作のみを説明し、基地局側は、端末側のプロセスに対応するランダムアクセスプロセスを実行することができる。
【００８０】
第１の実施形態：
この実施形態では、端末は、現在アクティブＢＷＰ上でのみＢＦＲを実行する。
【００８１】
端末側：
ステップ１：端末は、ビーム失敗を検出する。
【００８２】
ステップ２：端末は、ビーム失敗が発見される前のアクティブＢＷＰ上でのみＳＳＢおよび／またはＣＳＩ−ＲＳ測定を実行する。
【００８３】
ステップ３：チャネル品質要件を満たすＳＳＢおよび／またはＣＳＩ−ＲＳが検出されると、ランダムアクセスがその対応するビーム上で開始される。具体的には、
チャネル品質要件を満たすビームから１つのビームが選択される。チャネル品質要件を満たすビームに非競合ランダムアクセスリソースで構成されたビームがある場合、このタイプのビームが選択され、ＢＦＲを実行するために選択されたビームの非競合ランダムアクセスプロセスを使用してランダムアクセスが開始される。
【００８４】
チャネル品質要件を満たすビームに非競合ランダムアクセスリソースが構成されていない場合、または前記ＢＷＰ上でＢＦＲに用いられる非競合ランダムアクセスリソースが構成されていない場合、ＢＦＲを実行するために競合ランダムアクセスを開始する。
【００８５】
このランダムアクセスプロセスでは、端末はＢＷＰを変更しない。
【００８６】
第２の実施形態：
この実施形態では、端末は、ＢＦＲを実行することができる特定のＢＷＰ上でＢＦＲを実行する。
【００８７】
端末側：
ステップ１：端末は、ビーム失敗を検出する。
【００８８】
ステップ２：端末は、ビーム失敗が発見される前のアクティブＢＷＰ上でＳＳＢおよび／またはＣＳＩ−ＲＳ測定を実行する。
【００８９】
ステップ３：チャネル品質要件を満たすビームが検出されない場合、またはチャネル品質要件を満たすビームがＢＦＲの非競合ランダムアクセスリソースで構成されていない場合、端末は、非競合ランダムアクセスリソースで構成されたデフォルトＢＷＰに変更する。前記ＢＷＰは、初期ＢＷＰ、またはデフォルトＢＷＰ、またはＢＦＲを実行するように特に構成されたＢＷＰである。
【００９０】
ステップ４：ＳＳＢおよび／またはＣＳＩ−ＲＳ測定が、変更されたＢＷＰに対して実行される。
【００９１】
ステップ５：チャネル品質要件を満たすＳＳＢおよび／またはＣＳＩ−ＲＳが検出されると、ランダムアクセスがその対応するビーム上で開始される。具体的には、
チャネル品質要件を満たすビームから１つのビームが選択される。チャネル品質要件を満たすビームに非競合ランダムアクセスリソースで構成されたビームがある場合、このタイプのビームが選択され、ＢＦＲを実行するために、選択されたビーム上で、非競合ランダムアクセスプロセスを使用してランダムアクセスを開始する。
【００９２】
チャネル品質要件を満たすどのビームにも非競合ランダムアクセスリソースが構成されていない場合、競合ランダムアクセスを開始する，ＢＦＲを実行する。
【００９３】
第３の実施形態：
この実施形態では、端末は、構成されたすべてのＢＷＰを測定することによってＢＦＲを実行するためにＢＷＰを選択する。
【００９４】
端末側：
ステップ１：端末は、ビーム失敗を検出する。
【００９５】
ステップ２：端末は、複数の構成されたＢＷＰに対してＳＳＢおよび／またはＣＳＩ−ＲＳ測定を実行する。
【００９６】
ステップ３：端末は、すべての測定結果をスクリーニングし、チャネル品質要件満たすＳＳＢおよび／またはＣＳＩ−ＲＳおよびそれらの対応するビームを選択し、非競合ランダムアクセスリソースで構成されたビームが優先的に選択される。そのようなビームではない場合、非競合ランダムアクセスリソースで構成されていないビームが選択される。
【００９７】
ステップ４：端末は、選択されたＳＳＢおよび／またはＣＳＩ−ＲＳが配置されているＢＷＰに変更し、そのビーム上でランダムアクセスを開始する。具体的には、
前記ビームに非競合ランダムアクセスリソースが構成されている場合、端末非競合ランダムアクセスを開始し、ＢＦＲを実行する。
【００９８】
前記ビームに非競合ランダムアクセスリソースが構成されていない場合、端末は、競合ランダムアクセスを開始する，ＢＦＲを実行する。
【００９９】
第４の実施形態：
この実施形態では、１回のランダムアクセスが失敗した後、端末は、ＢＦＲを実行するために、現在のＢＷＰのビーム上でランダムアクセスを再開する。
【０１００】
端末側：
ステップ１：端末は、ＢＦＲを実行するためにランダムアクセスを開始するが、このランダムアクセスは失敗する。
【０１０１】
ステップ２：端末は、最後のランダムアクセスが開始されたＢＷＰおよびビーム（ＳＳＢまたはＣＳＩ−ＲＳ）上でランダムアクセスを再開始し、最後が非競合ランダムアクセスであった場合、１つの非競合ランダムアクセスリソースは、前記ＳＳＢまたはＣＳＩ−ＲＳに対応する非競合ランダムアクセスリソースから選択され、この時点で非競合ランダムアクセスを開始する。最後が競合ランダムアクセスの場合、この時点で、ＳＳＢまたはＣＳＩ−ＲＳに対応するビーム上で競合ランダムアクセスが開始される。
【０１０２】
第５の実施形態：
この実施形態では、１回のランダムアクセスが失敗した後、端末は、現在のＢＷＰ上のビームを再選択して、ランダムアクセスを開始し、ＢＦＲを実行する。
【０１０３】
端末側：
ステップ１：端末は、ＢＦＲを実行するためにランダムアクセスを開始するが、このランダムアクセスは失敗する。
【０１０４】
ステップ２：端末は、最後のランダムアクセスが開始されたＢＷＰ上のチャネル品質要件を満たすＳＳＢまたはＣＳＩ−ＲＳを再選択し、非競合ランダムアクセスリソースで構成されたＳＳＢまたはＣＳＩ−ＲＳを優先的に選択し、そしてランダムアクセスを再開して、ＢＦＲを実行する。
【０１０５】
第６の実施形態：
この実施形態では、端末は、ランダムアクセスを開始するために特定されたＢＷＰに変更する。
【０１０６】
端末側：
ステップ１：端末は、ＢＦＲを実行するためにランダムアクセスを開始するが、このランダムアクセスは失敗する。
【０１０７】
ステップ２：端末特定されたＢＷＰへ変更し、前記特定されたＢＷＰは、初期ＢＷＰまたはデフォルトＢＷＰである。
【０１０８】
ステップ３：端末前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するランダムアクセス構成に従ってランダムアクセスを再開始する。
【０１０９】
第７の実施形態：
この実施形態では、端末は、端末は、構成された複数のＢＷＰ上の測定結果に従ってＳＳＢまたはＣＳＩ−ＲＳを選択してランダムアクセスを開始する。
【０１１０】
端末側：
ステップ１：端末はランダムアクセスを開始してＢＦＲを実行するが、このランダムアクセスは失敗する。
【０１１１】
ステップ２：端末は、構成された複数のＢＷＰ上のＳＳＢまたはＣＳＩ−ＲＳの測定結果を評価し、しきい値よりも高いチャネル品質を有するＳＳＢまたはＣＳＩ−ＲＳを選択する。
【０１１２】
ステップ３：ＳＳＢまたはＣＳＩ−ＲＳが現在のＢＷＰ上にない場合、ＢＷＰが変更され、前記ＳＳＢまたはＣＳＩ−ＲＳに対応するランダムアクセスリソース上で、ランダムアクセスを開始する。
【０１１３】
同じ発明思想に基づいて、本発明の実施形態は、端末、コンピュータ可読記憶媒体、およびビーム失敗回復デバイスをさらに提供する。これらのデバイスの問題を解決する原理はビーム失敗回復方法に類似しているため、これらのデバイスの実施は、方法の実施を参照することができ、その繰り返しの説明はここでは省略される。
【０１１４】
本発明の実施形態によって提供される技術的解決策が実施されるとき、それは以下のように実施され得る。
【０１１５】
図４は、端末の構造概略図であり、示されるように、端末は、
メモリ４２０内のプログラムを読み取って次のプロセスを実行するように構成されたプロセッサ４００と、
プロセッサ４００の制御下でデータを送受信して以下のプロセスを実行するように構成された送受信機４１０とを備える。
【０１１６】
前記プロセッサ４００は、ビーム障害回復を実行する必要があるかどうかを決定する。
【０１１７】
前記送受信機４１０は、ビーム障害回復を実行する必要があると決定した場合、選択された帯域幅パート（ＢＷＰ）上でランダムアクセスを開始し、ビーム失敗回復（ＢＦＲ）を実行し、ここで、ランダムアクセスプロセス中ＢＷＰが変更されない。
【０１１８】
実施において、選択されたＢＷＰ上でランダムアクセスを開始し、ビーム失敗回復を実行することは具体的に、
ビーム障害の前にアクティブＢＷＰ上でランダムアクセスを開始し、ここで、前記アクティブＢＷＰにＢＦＲに用いられる非競合ランダムアクセスリソースがなければ、競合ランダムアクセスを開始してビーム失敗回復を実行し、または、
ビーム障害の前にアクティブＢＷＰ上でランダムアクセスを開始し、ここで、前記アクティブＢＷＰにＢＦＲに用いられる非競合ランダムアクセスリソースがあれば、前記アクティブＢＷＰ上で非競合ランダムアクセスを開始し、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
チャネル品質に従って構成された複数のＢＷＰ上のビームを選択し、前記ビームが配置されているＢＷＰ上でランダムアクセスを開始し、ビーム失敗回復を実行する。
【０１１９】
実施において、非競合ランダムアクセスリソースで構成されたデフォルトＢＷＰは、初期ＢＷＰ、またはデフォルトＢＷＰ、またはＢＦＲを実行するように特に構成されたＢＷＰを含む。
【０１２０】
実施において、チャネル品質に従って構成された複数のＢＷＰ上のビームを選択することは具体的に、
異なるＢＷＰ上でＳＳＢ測定および／またはＣＳＩ−ＲＳ測定を実行し、ここで、異なるＳＳＢまたはＣＳＩ−ＲＳは異なるビームに対応し、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始する。
【０１２１】
実施において、さらに、非競合ランダムアクセスの下で設定された時間内にＣ−ＲＮＴＩが含まれるＰＤＣＣＨスケジューリングコマンドを受信しない場合に、または、競合ランダムアクセスの下で、競合解決の完了に失敗するとき、ランダムアクセスを再開始し、ＢＦＲを実行する。
【０１２２】
実施において、ランダムアクセスを再開始することによってＢＦＲを実行することは具体的に、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＳに対応するビーム下のランダムアクセス構成に従って、現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、前記ＳＳＢおよび／またはＣＳＩ−ＲＳが配置されているＢＷＰ上でランダムアクセスを再開始する。
【０１２３】
ここで、図４において、バスアーキテクチャは、任意の数の相互接続されたバスおよびブリッジを含み得、特に、プロセッサ４００によって表される１つ以上のプロセッサの様々な回路およびメモリ４２０によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェースはインターフェースを提供する。送受信機４１０は、複数の要素であり得る、すなわち、送信機および受信機を含み得、伝送媒体を介して他の様々なデバイスと通信するためのユニットを提供する。異なるユーザー設備に対し、ユーザーインターフェース４３０は、外部接続または内部接続に必要な設備のインターフェースであることもできる。接続する設備は、キーパッド、ディスプレー、スピーカー、マイクロホン、ジョイスティック等を備えるが、これに限られない。
【０１２４】
プロセッサ４００は、バスアーキテクチャ及び通常の処理を管理し、メモリ４２０は、プロセッサ４００が動作する際に利用するデータを記憶することができる。
【０１２５】
本発明の実施形態は、上述のビーム失敗回復方法を実行するコンピュータプログラムを格納するコンピュータ可読記憶媒体をさらに提供する。詳細は、端末の実施を参照する場合がある。
【０１２６】
本発明の実施形態はさらに、ビーム失敗回復装置を提供し、前記装置は、
端末によってビーム失敗回復を実行する必要があると決定するように構成された決定モジュールと、
端末によって選択された帯域幅パート（ＢＷＰ）上でランダムアクセスを開始し、ビーム失敗回復（ＢＦＲ）を実行し、ここで、ランダムアクセスプロセス中ＢＷＰが変更されないように構成された回復モジュールとを備える。
【０１２７】
説明のために、上述のデバイスのすべての部分は、それぞれ説明される機能によって様々なモジュールまたはユニットに分割される。もちろん、様々なモジュールまたはユニットの機能は、本発明が実施されるとき、同じ１つまたは複数のソフトウェアまたはハードウェアで実施されてもよい。
【０１２８】
要約すると、本発明の実施形態によって提供される技術的解決策では、端末は、選択されたＢＷＰ上でランダムアクセスを開始し、ビーム失敗回復を実行し、ランダムアクセスプロセス中ＢＷＰが変更されない。当該解決策を通じて、端末は、適切なＢＷＰとその上のＳＳＢまたはＣＳＩ−ＲＳを選択して、ビーム失敗回復プロセスを開始する。発明は、データ伝送への影響を最小限にしながら、高速ビーム回復を達成する。
【０１２９】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ−ＲＯＭ、光学記憶装置などを含むがそれとは限らない）において実施する。
【０１３０】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに特定される機能を実現する。
【０１３１】
それらのコンピュータプログラム指令は、又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて特定される機能を実現できる。
【０１３２】
これらのコンピュータプログラム指令は、又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに特定される機能を実現する。
【０１３３】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０１３４】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【符号の説明】
【０１３５】
400  プロセッサ
410  送受信機
420  メモリ
430  ユーザーインターフェース
【図１】
2021510255.tif 000003
【図２】
2021510255.tif 000004
【図３】
2021510255.tif 000005
【図４】
2021510255.tif 000006
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
端末は、ビーム失敗回復（Ｂｅａｍ Ｆａｉｌｕｒｅ Ｒｅｃｏｖｅｒｙ，ＢＦＲ）が必要であると決定するステップと、
端末は、選択された帯域幅パート（ＢＷＰ）でランダムアクセスを開始することにより、ビーム失敗回復（ＢＦＲ）を実行するステップとを備え、
ここで、ランダムアクセスプロセス中ＢＷＰが変更されないことを特徴とするビーム失敗回復方法。
【請求項２】
端末が選択されたＢＷＰでランダムアクセスを開始することにより、ビーム失敗回復を実行することは、
端末は、ビーム障害の前にアクティブＢＷＰでランダムアクセスを開始し、ここで、前記アクティブＢＷＰにＢＦＲに用いられる非競合ランダムアクセスリソースがなければ、競合ランダムアクセスを開始してビーム失敗回復を実行し、または、
端末は、ビーム障害の前にアクティブＢＷＰでランダムアクセスを開始し、ここで、前記アクティブＢＷＰにＢＦＲに用いられる非競合ランダムアクセスリソースがあれば、端末は、前記アクティブＢＷＰで非競合ランダムアクセスを開始して、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
端末は、チャネル品質に従って構成された複数のＢＷＰ上のビームを選択し、前記ビームが配置されているＢＷＰ上でランダムアクセスを開始し、ビーム失敗回復を実行することを備えることを特徴とする請求項１に記載のビーム失敗回復方法。
【請求項３】
非競合ランダムアクセスリソースで構成されたデフォルトＢＷＰは、初期ＢＷＰ、またはデフォルトＢＷＰ、またはＢＦＲを実行するように特に構成されたＢＷＰを含むことを特徴とする請求項２に記載のビーム失敗回復方法。
【請求項４】
端末がチャネル品質に従って構成された複数のＢＷＰ上のビームを選択することは、
異なるＢＷＰ上で同期信号ブロック（ＳＳＢ）測定および／またはチャネル状態情報参考信号（ＣＳＩ−ＲＳ）測定を実行し、ここで、異なるＳＳＢまたはＣＳＩ−ＲＳは異なるビームに対応することと、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始することとを備えることを特徴とする請求項２に記載のビーム失敗回復方法。
【請求項５】
非競合ランダムアクセスの下で端末は、設定された時間内にセル無線ネットワーク一時識別子（Ｃ−ＲＮＴＩ）が含まれる物理ダウンリンク制御チャネル（ＰＤＣＣＨ）スケジューリングコマンドを受信していないか、または、競合ランダムアクセスの下で、競合解決の完了に失敗するとき、ランダムアクセスを再開始し、ＢＦＲを実行することを特徴とする請求項１から請求項４のいずれか一項に記載のビーム失敗回復方法。
【請求項６】
ランダムアクセスを再開始することによってＢＦＲを実行することは、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＳに対応するビーム下のランダムアクセス構成に従って、現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、端末は、前記ＳＳＢおよび／またはＣＳＩ−ＲＳが配置されている変更されたＢＷＰ上でランダムアクセスを再開始することを特徴とする請求項５に記載のビーム失敗回復方法。
【請求項７】
ビーム障害回復を実行する必要があるかどうかを決定するように構成された決定モジュールと、
ビーム障害回復を実行する必要があると決定した場合、選択された帯域幅パート（ＢＷＰ）上でランダムアクセスを開始し、ビーム失敗回復（ＢＦＲ）を実行するように構成された回復モジュールとを備え、
ここで、ランダムアクセスプロセス中ＢＷＰが変更されないことを特徴とする端末。
【請求項８】
選択されたＢＷＰ上でランダムアクセスを開始し、ビーム失敗回復を実行することは、
ビーム障害の前にアクティブＢＷＰ上でランダムアクセスを開始し、ここで、前記アクティブＢＷＰにＢＦＲに用いられる非競合ランダムアクセスリソースがなければ、競合ランダムアクセスを開始してビーム失敗回復を実行し、または、
ビーム障害の前にアクティブＢＷＰ上でランダムアクセスを開始し、ここで、前記アクティブＢＷＰにＢＦＲに用いられる非競合ランダムアクセスリソースがあれば、前記アクティブＢＷＰ上で非競合ランダムアクセスを開始し、ビーム失敗回復を実行し、前記アクティブＢＷＰにＢＦＲに用いられる非競合ランダムアクセスリソースがなければ、非競合ランダムアクセスリソースで構成されたデフォルトＢＷＰに変更し、ランダムアクセスを開始し、ビーム失敗回復を実行し、または、
チャネル品質に従って構成された複数のＢＷＰ上のビームを選択し、前記ビームが配置されているＢＷＰ上でランダムアクセスを開始し、ビーム失敗回復を実行することを備えることを特徴とする請求項７に記載の端末。
【請求項９】
非競合ランダムアクセスリソースで構成されたデフォルトＢＷＰは、初期ＢＷＰ、またはデフォルトＢＷＰ、またはＢＦＲを実行するように特に構成されたＢＷＰを含むことを特徴とする請求項８に記載の端末。
【請求項１０】
チャネル品質に従って構成された複数のＢＷＰ上のビームを選択することは、
異なるＢＷＰ上でＳＳＢ測定および／またはＣＳＩ−ＲＳ測定を実行し、ここで、異なるＳＳＢまたはＣＳＩ−ＲＳは異なるビームに対応することと、
チャネル品質要件を満たすビームから非競合ランダムアクセスリソースで構成されたビームを選択し、ビームが配置されているＢＷＰランダムアクセスを開始し、非競合ランダムアクセスリソースで構成されたビームのすべてがチャネル品質要件を満たさない場合は、チャネル品質要件を満たす別のビームを選択し、ビームが配置されているＢＷＰで競合ランダムアクセスを開始することとを備えることを特徴とする請求項８に記載の端末。
【請求項１１】
非競合ランダムアクセスの下で設定された時間内にＣ−ＲＮＴＩが含まれるＰＤＣＣＨスケジューリングコマンドを受信しない場合に、または、競合ランダムアクセスの下で、競合解決の完了に失敗するとき、ランダムアクセスを再開始し、ＢＦＲを実行することを特徴とする請求項７から請求項１０のいずれか一項に記載の端末。
【請求項１２】
ランダムアクセスを再開始することによってＢＦＲを実行することは具体的に、
ランダムアクセスの最大数またはＢＦＲタイマーの時間満了になるまで、ＢＷＰとビーム、および最後に開始されたランダムアクセスのランダムアクセスリソースを使用して、ランダムアクセスを再開始し、または、
現在のＢＷＰ上でビーム品質測定を実行し、ＳＳＢまたはＣＳＩ−ＲＳを再選択し、前記ＳＳＢまたはＣＳＩ−ＲＶビームＣランダムアクセス構成に従って現在ＢＷＰ上でランダムアクセスを再開始し、または、
特定されたＢＷＰへ変更し、前記ＢＷＰ上でＳＳＢまたはＣＳＩ−ＲＳ測定を実行し、チャネル品質がしきい値よりも高いＳＳＢまたはＣＳＩ−ＲＳを選択し、前記ＳＳＢまたはＣＳＩ−ＲＳに対応するビーム下のランダムアクセス構成に従って、ランダムアクセスを再開始し、ここで、前記特定されたＢＷＰは、初期ＢＷＰまたはデフォルトＢＷＰであり、または、
構成された複数のＢＷＰのＳＳＢまたはＣＳＩ−ＲＳ測定の結果に従って、ＳＳＢおよび／またはＣＳＩ−ＲＳとその対応するビームを再選択し、前記ＳＳＢまたはＣＳＩ−ＲＳに対応するビーム下のランダムアクセス構成に従って、ランダムアクセスを再開始し、現在ＢＷＰに前記ＳＳＢおよび／またはＣＳＩ−ＲＳがなければ、前記ＳＳＢおよび／またはＣＳＩ−ＲＳが配置されているＢＷＰ上でランダムアクセスを再開始することを特徴とする請求項１１に記載の端末。
【請求項１３】
請求項１から請求項６のいずれか一項に記載の方法を実行するように構成されたコンピュータプログラムを格納する、コンピュータ可読記憶媒体。
【国際調査報告】
2021510255.tif 000007
2021510255.tif 000008